(57)【要約】【課題】急な販売数増加の販売計画変動が生じても資材、仕掛品の欠品による生産遅延及び製品在庫の不足による出荷遅延を防止し、また資材、仕掛品及び製品の不要な在庫を防止するとともに在庫金額を最小として、資材調達・生産プロセスの効率化を図る効率的管理支援方法を提供する。【解決手段】販売計画変動時に、製品情報、生産情報、変動販売計画、所定期間毎の生産予定数及びフォーキャスト情報を含む資材先行手配数の各累計値を含む累計値情報を基に、シミュレーションデータを作成する。次に、資材調達・生産プロセスをモデル化したプロセスモデルで、前記シミュレーションデータに基づき、シミュレーションを行い、販売計画変動時に欠品を起こさない、且つ在庫金額が最小となる、複数の業務領域での在庫形態とその在庫数の安全在庫設定値を算出する。【選択図】図２
2008217653.tif 000002
【特許請求の範囲】
【請求項１】
資材の発注情報が将来の資材発注見込み情報（フォーキャスト情報）から資材発注確定情報へと移行する、且つまた販売計画変動により生産変動の生ずることがある生産計画を含む、資材調達から生産工程を経て製品に至る複数の業務領域からなる資材調達・生産プロセスの効率化を図る効率的管理支援方法であって、
前記資材調達・生産プロセスをモデル化したプロセスモデルをコンピューター上に設定するステップと、
所定期間毎の生産予定数及びフォーキャスト情報を含む資材先行手配数の各累計値を含む、累計値情報を作成及び管理し、前記累計値情報を格納手段に格納するステップと、
前記販売計画変動、前記累計値情報及び生産計画立案を制約する制約条件に基づき、変動生産計画を立案し、生産計画変動情報として格納手段に格納するステップと、
製品情報、生産情報が格納されているＥＲＰ（Ｅｎｔｅｒｐｒｉｓｅ  Ｒｅｓｏｕｒｃｅ  Ｐｌａｎｎｉｎｇ）パッケージから前記製品情報及び前記生産情報を、前記格納手段から前記変動生産計画を、取り出すとともに、前記製品情報、前記生産情報、前記変動生産計画、前記累計値情報を基に、シミュレーションデータを作成するシミュレーションデータ作成手段で前記シミュレーションデータを作成し、前記格納手段に格納するステップと、
前記プロセスモデルを用い、前記シミュレーションデータに基づき、シミュレーターで変動生産計画に対応したシミュレーションを行い、生産計画変動時に欠品を起こさない、且つ在庫金額が最小となる、前記複数の業務領域での在庫形態とその在庫数の安全在庫設定値を算出するステップと、
を有することを特徴とする資材調達・生産プロセスの効率的管理支援方法。
【請求項２】
前記複数の業務領域は、資材調達業務領域、生産業務領域を含むことを特徴とする請求項１に記載の資材調達・生産プロセスの効率的管理支援方法。
【請求項３】
前記在庫形態は、資材を組み立て製品とする間の、資材、仕掛品、製品の形態であることを特徴とする請求項１または２に記載の資材調達・生産プロセスの効率的管理支援方法。
【請求項４】
前記製品情報は、製品に使用する資材とその資材の数量、製品の工程表及び構成のデータを含むことを特徴とする請求項１乃至３の何れか１項に記載の資材調達・生産プロセスの効率的管理支援方法。
【請求項５】
前記生産情報は、製品の生産量と納期の生産計画情報、資材の在庫情報と発注情報と納期情報と価格情報、製品在庫情報を含むことを特徴とする請求項１乃至４の何れか１項に記載の資材調達・生産プロセスの効率的管理支援方法。
【請求項６】
前記シミュレーションに際し、格納手段に格納された前記資材調達・生産プロセスの拠点の情報・通信環境の状態に関する情報・通信環境情報と物流の状態に関する物流情報とを取り出し加味して、シミュレーションを行うことを特徴とする請求項１乃至５の何れか１項に記載の資材調達・生産プロセスの効率的管理支援方法。
【発明の詳細な説明】
【技術分野】
【０００１】
本発明は、資材調達から製品までの資材調達・生産プロセスにおいて、販売計画変動により生産計画に変動が生じても、生産に支障を生じさせることのない資材及び製品の在庫の最適化に関する。
【背景技術】
【０００２】
製品の生産においては、資材（以下、部品ともいう）の調達から生産工程を経て製品完成に至るまでの複数の業務領域、例えば、資材調達・生産・製品在庫及び出荷管理といった各業務領域が存在し、各業務領域における業務活動の連携を通じて一連の業務活動が行われる。このような一連の業務活動の連鎖、即ち資材調達・生産プロセスにおいては、その効率化が重要な課題である。
【０００３】
このような複数の業務領域が存在する資材調達・生産プロセスの効率化に際しては、生産量及び納期等の生産情報、調達・生産・物流等の形態及びそれらの拠点ついての情報等、複数の観点から考慮することが必要になる。
【０００４】
このようなことから資材調達・生産プロセスの効率化のために、前記資材調達・生産プロセスをモデル化したプロセスモデルを作成しシミュレーターでシミュレーションを行い前記資材調達・生産プロセスの効率化を図ることが行われている。
【０００５】
また、前記資材調達・生産プロセスにおいては、そのプロセスの中に物の流れ、情報等の捕捉に弱い部分、例えば在庫数量が不明確等、があると前記資材調達・生産プロセスが崩れる恐れがある。したがって、資材の調達から製品完成までの資材の調達・生産・製品在庫管理といった業務活動の物と情報の流れを最適化するためには、プロセス内の全ての業務でリアルタイムで物の流れが捉えられている必要がある。そのため、企業の基幹業務を対象に、ＥＲＰ（Ｅｎｔｅｒｐｒｉｓｅ  Ｒｅｓｏｕｒｃｅ  Ｐｌａｎｎｉｎｇ）パッケージと呼ばれる情報システム・パッケージの導入が進められてきている。
【０００６】
前記ＥＲＰパッケージとは統合業務パッケージであり、販売・生産・物流・財務等の企業活動全般にわたる業務を全社的に統合した企業情報システムのパッケージソフトウェアである。各部門毎に別々に構築されていたシステムを統合し、相互に参照・利用できるようにしようというもので、財務会計や人事等のデータの一元管理、システムのバージョンアップや保守点検の容易化、他部門の作業のリアルタイムな参照等も可能になるものである。
【０００７】
また、前記資材調達・生産プロセスにおいては、需要（受注）に応じて販売・生産計画を立案し、社外や他工場（以下、サプライヤーとも言う）から資材を調達し、生産工程で生産活動が行われる。前記資材の調達に際し、一般的に資材発注確定情報以外に、調達を円滑に行うため、調達側（発注側）よりサプライヤーに将来の資材発注見込み情報（フォーキャスト情報）が通知される。前記フォーキャスト情報は、所定期日に資材発注確定情報へと変更される。これにより、サプライヤーは、将来の生産計画を立てることができ、過剰在庫や欠品の発生を抑制することが可能となる。
【０００８】
しかしながら、前記需要は一定で推移するとは限らず、販売計画に変動が生じる場合がある。これにより、フォーキャスト情報から資材発注確定情報への変更時に、生産変動が生じる。このため、特に販売計画の増加変動に対して、資材の欠品による生産遅延及び製品在庫の不足による出荷遅延を防ぎつつ、資材及び製品の不要な在庫の発生を防ぎ、在庫金額を最小とすることが望まれている。このような在庫の最適化は、前記資材調達・生産プロセスの効率化にとっては重要な要素である。
【０００９】
これに対し、過去のフォーキャスト情報とこれに対応する受注実績から前記過去のフォーキャスト情報の誤差、前記誤差の平均値及び前記誤差の標準偏差を算出し、現在のフォーキャスト情報を補正することにより、発注量を算出することが開示されている。（例えば、特許文献１参照）。
【００１０】
また、製品の追加可能製造量を算出し、追加製造で使用する時期における資源の資源量に基づいて、前記時期に対する前記資源の追加発注量を決定する追加発注量算出手段で追加発注量を算出し、部材発注を行うことが開示されている（例えば、特許文献２参照）。
【００１１】
また、生産要望に対して、管理対象期間を定め、累計値管理による制約を掛けるなどして、急遽増産する場合の上限値を定めて、資材先行手配（フォーキャスト情報）と生産数確定の管理を行うことが開示されている（例えば、特許文献３参照）。
【特許文献１】特開２００６−３９８０２号公報
【特許文献２】特開２００６−１５５３６１号公報
【特許文献３】特開２００６−１１３７４８号公報
【発明の開示】
【発明が解決しようとする課題】
【００１２】
特許文献１は、現在のフォーキャスト情報を補正し、発注量を算出することにより、受注側では高精度な受注予測を行うことができ、これにより、欠品の発生や過剰な在庫の発生を効果的に抑制することを図るものである。しかし、急な発注の変更、特に増産の場合に欠品の発生の有無の予測がつかず、欠品が生ずることがあった。
【００１３】
特許文献２は、追加発注量算出手段で追加発注量を算出し、部材発注を行うことで不要な在庫をできるだけ減らしつつ部材を確保し、さらに製品の需要変動にも対応できることを図るものである。しかし、追加発注量、即ち追加製造可能数量の算出のみであり、追加製造可能数量以上の急な発注の変更が生じた場合に、欠品の生ずることがあった。
【００１４】
特許文献３は生産予定数の累計、部品手配数累計を用いて、急遽増産する場合の上限値を定めて、部品先行手配（フォーキャスト情報）と生産数確定の管理を行うものである。
【００１５】
しかしながら、このような累計値管理よる制約を掛けたとしても、急遽増産に対応するために、以下の対応が行われる。資材調達業務領域（以下、資材調達部門ともいう）では、納入リードタイムの長い資材（部品）、所謂長納期部品については、安全在庫を持つことになる。生産業務領域（以下、生産部門ともいう）では、生産リードタイムの長い製品については、工程で仕掛品及び製品を安全在庫として持つことになる。
【００１６】
このように管理対象期間を定め累計値管理による制約を掛けるなどしても、累計管理値の上限値に耐えられるように、資材調達・生産プロセスの各部門毎にそれぞれ独自に対応した安全在庫を持つ構造は変わらず、資材調達・生産プロセス全体では過剰な在庫数となる場合が多い。それにともない、在庫金額も増大する。
【００１７】
本発明は、上記状況に鑑みなされたもので、急な販売数増加の販売計画変動が生じても資材、仕掛品の欠品による生産遅延及び製品在庫の不足による出荷遅延を防止し、また資材、仕掛品及び製品の不要な在庫を防止するとともに在庫金額を最小として、資材調達・生産プロセスの効率化を図る効率的管理支援方法を提供することを目的とする。
【課題を解決するための手段】
【００１８】
上記目的は、以下の方法により達成される。
１．資材の発注情報が将来の資材発注見込み情報（フォーキャスト情報）から資材発注確定情報へと移行する、且つまた販売計画変動により生産変動の生ずることがある生産計画を含む、資材調達から生産工程を経て製品に至る複数の業務領域からなる資材調達・生産プロセスの効率化を図る効率的管理支援方法であって、
前記資材調達・生産プロセスをモデル化したプロセスモデルをコンピューター上に設定するステップと、
所定期間毎の生産予定数及びフォーキャスト情報を含む資材先行手配数の各累計値を含む、累計値情報を作成及び管理し、前記累計値情報を格納手段に格納するステップと、
前記販売計画変動、前記累計値情報及び生産計画立案を制約する制約条件に基づき、変動生産計画を立案し、生産計画変動情報として格納手段に格納するステップと、
製品情報、生産情報が格納されているＥＲＰ（Ｅｎｔｅｒｐｒｉｓｅ  Ｒｅｓｏｕｒｃｅ  Ｐｌａｎｎｉｎｇ）パッケージから前記製品情報及び前記生産情報を、前記格納手段から前記変動生産計画を、取り出すとともに、前記製品情報、前記生産情報、前記変動生産計画、前記累計値情報を基に、シミュレーションデータを作成するシミュレーションデータ作成手段で前記シミュレーションデータを作成し、前記格納手段に格納するステップと、
前記プロセスモデルを用い、前記シミュレーションデータに基づき、シミュレーターで変動生産計画に対応したシミュレーションを行い、生産計画変動時に欠品を起こさない、且つ在庫金額が最小となる、前記複数の業務領域での在庫形態とその在庫数の安全在庫設定値を算出するステップと、
を有することを特徴とする資材調達・生産プロセスの効率的管理支援方法。
２．前記複数の業務領域は、資材調達業務領域、生産業務領域を含むことを特徴とする１に記載の資材調達・生産プロセスの効率的管理支援方法。
３．前記在庫形態は、資材を組み立て製品とする間の、資材、仕掛品、製品の形態であることを特徴とする１または２に記載の資材調達・生産プロセスの効率的管理支援方法。
４．前記製品情報は、製品に使用する資材とその資材の数量、製品の工程表及び構成のデータを含むことを特徴とする１乃至３の何れか１項に記載の資材調達・生産プロセスの効率的管理支援方法。
５．前記生産情報は、製品の生産量と納期の生産計画情報、資材の在庫情報と発注情報と納期情報と価格情報、製品在庫情報を含むことを特徴とする１乃至４の何れか１項に記載の資材調達・生産プロセスの効率的管理支援方法。
６．前記シミュレーションに際し、格納手段に格納された前記資材調達・生産プロセスの拠点の情報・通信環境の状態に関する情報・通信環境情報と物流の状態に関する物流情報とを取り出し加味して、シミュレーションを行うことを特徴とする１乃至５の何れか１項に記載の資材調達・生産プロセスの効率的管理支援方法。
【発明の効果】
【００１９】
上記により、販売計画変動が生じた場合に対応する安全在庫の最適化を、各部門個別ではなく、資材調達・生産プロセス全体として行うことができ、資材、仕掛品及び製品の欠品や過剰在庫を効果的に抑制し、在庫金額を最小とすることができる。
【００２０】
また、サプライヤーは、ＥＲＰパッケージより、前記シミュレーションの結果の情報を得ることが可能となり、将来の生産計画を立てることができ、急な販売計画変動による生産変動が生じても過剰在庫や欠品の発生を抑制することが可能となる。
【発明を実施するための最良の形態】
【００２１】
以下、図を参照しながら本発明の実施の形態を説明するが、本発明はこれに限定されるものではない。
【００２２】
図４は、フォーキャスト情報（以下、フォーキャストともいう）及び資材発注確定情報（以下、発注確定ともいう）の推移の一例を現すテーブルである。図４では、発注間隔、フォーキャスト発信間隔及び納入リードタイムを１週間とした例である。これらの間隔は、製品及び資材の種類によって適宜設定されるものであり、例えば２週間であったり、１か月であったりする。また間隔はそれぞれ異なっていてもよい。また、図４では発注確定をＰＯ、フォーキャストをＦＣと記す。
【００２３】
当初の受注により立案された生産計画に従い、発注予定１週に発注確定のＰＯ１が発注されるとともに、フォーキャストのＦＣ１が発信される。ＰＯ１は、２週に納入される。２週には、ＦＣ２がＰＯ２に変更され発注されるとともに、フォーキャストのＦＣ２が発信される。ＰＯ２は、３週に納入される。以下、同様に推移する。図４は、納入が９週で完了する例である。
【００２４】
図４の例では、前記発注は１週間毎に前記生産計画に基づいてＭＲＰ（Ｍａｔｅｒｉａｌ  Ｒｅｑｕｉｒｅｍｅｎｔ  Ｐｌａｎｎｉｎｇ）等によって資材所要量計画が作成され行われる。
【００２５】
図１は、資材調達・生産プロセス１００の構成の一例を示す図である。前述のように、資材調達・生産プロセス１００は、一般的に複数の業務領域からなり、前記業務領域の連鎖で構成される。本実施の形態では前記業務領域を、サプライヤー１１０、資材調達部門１２０、生産部門１３０、製品管理部門１４０及び生産管理部門１５０に区分している。
【００２６】
資材調達部門１２０は、サプライヤー１１０から資材の調達をし、納入された資材の管理の業務を、生産部門１３０は、生産工程内の資材の管理、製品の生産の業務を、製品管理部門１４０は、工場出荷前の製品の管理及び製品出荷管理の業務を、それぞれ有する。
【００２７】
生産管理部門１５０は、販売部門２００よりの販売計画情報（販売要望）に基づき生産計画を作成し、資材調達・生産プロセス１００の一連の業務連鎖での製品の生産の実施及び管理の業務を有する。また、前記生産計画に基づく、所定期間毎の生産予定数及びフォーキャストを含む資材先行手配数の各累計値の累計値情報を作成し、管理ことも行う。ぜんき所定期間は、生産計画の単位期間であり、製品及び資材の種類によって適宜設定されるものであり、例えば日単位であったり、週単位であったりする。
【００２８】
前記区分は、本実施の形態に限定されるものではなく、資材の調達及び生産の形態、製品の仕様、物流形態、販売形態等により適宜区分されるものである。また、前記区分の範囲は、本実施の形態では業務領域で区分したが、各組織毎あるいは各拠点毎としてもよい。資材調達・生産プロセス１００の構成の情報は、格納手段にも格納される。
【００２９】
図２は、資材の発注情報がフォーキャストから発注確定へと移行する、且つ販売計画変動により生産変動の起こることがある生産計画を含む、資材調達から生産工程を経て製品出荷に至る資材調達・生産プロセスの効率化を図る効率的管理支援方法の一実施の形態を示すブロック図である。
【００３０】
前述のように、資材調達・生産プロセス１００は、一般的に複数の業務領域からなり、前記業務領域の連鎖で構成される。
【００３１】
図２において、データベース１は、前述の各種データ及び情報を格納する格納手段であり、ＥＲＰパッケージ２のデータ、情報も中継プログラム５及びシミュレーションデータ作成手段であるデータ変換部６を介して、必要に応じ取り込まれる。また、後述の、データ変換部６で作成されたシミュレーションデータも取り込まれる。なお、ＥＲＰパッケージ２のデータ、情報の内、データ変換部６で用いないデータ、情報は、データ変換部６を介さず中継プログラム５を介して直接データベース１に取り込んでもよい。
【００３２】
ＥＲＰパッケージ２は統合業務パッケージであり、統合データベースを有し、製品情報、生産情報等が格納される。前記製品情報は製品に使用する資材とその資材の数量、製品の工程表及び構成のデータ等から、生産情報は製品の生産量、生産リードタイム、納期、資材の納入ルート、納入リードタイム、在庫、発注、納期、価格の各情報、製品在庫情報等からなる。本実施の形態では、ＥＲＰパッケージ２として、ＳＡＰ社のＳＡＰ（Ｒ／３）（登録商標）が好ましく用いられる。
【００３３】
以下、ＥＲＰパッケージ２をＳＡＰ（Ｒ／３）（登録商標）とも記す。
【００３４】
販売計画作成部４は、需要（受注）に応じて販売計画を作成する。販売計画作成部４は、図１に示す販売部門２００の、例えば、販売管理部門に設けてもよい。前記販売計画は、生産計画作成部３に伝達される。
【００３５】
生産計画作成部３は、前記販売計画を基に、資材調達上、生産工程上、物流上の各制約条件を考慮して生産計画を作成する。資材調達上の制約条件は、資材生産能力、資材の納入リードタイム、サプライヤーとの間の資材発注契約等がある。前記生産工程上の制約条件は、生産リードタイム、工程の最大生産能力、工程の生産能力切り換え条件等がある。物流上の制約条件は、製品の納入リードタイム、物流能力、倉庫在庫能力等がある。生産計画作成部３は、図１に示す生産管理部門１５０に設けられる。
【００３６】
前記販売計画及び前記生産計画は、中継プログラム５及びデータ変換部６を介してデータベース１、ＥＲＰパッケージ２に入力される。
【００３７】
当初販売計画に変動が生じると、販売計画作成部４で変動販売計画が立案され、生産計画作成部３に伝達される。生産計画作成部３は、前記変動販売計画、前記各制約条件及び前述の、生産計画に基づく、生産予定数及びフォーキャストを含む資材先行手配数の各累計値の累計値情報を基に変動生産計画を作成する。
【００３８】
ここで、変動生産計画作成時に前記累計値情報を取り入れることにより、変動生産計画に対応して、先行手配中の資材の前手繰り可能な数量及びその時期を算出することができる。また、追加手配必要な数量を算出し、フォーキャストの変更発信が可能となる。前記変動販売計画及び前記変動生産計画は、データ変換部６に取り入れられる。
【００３９】
データ変換部６は、前記変動販売計画及び前記変動生産計画と、ＥＲＰパッケージ２に格納されている前記製品情報及び前記生産情報と、を基にシミュレーションデータを作成する。前記シミュレーションデータは、例えば、納入リードタイム毎に資材を分類したデータ、製品を構成するユニット毎に使用する資材を分類したデータ、前記ユニット毎のユニットに組み上げる生産リードタイム、前記ユニットで在庫する場合の仕掛かり形態のパターンとその在庫金額等のデータ、発注部品と在庫部品及びユニット在庫の組み合わせパターンとその場合の製品の生産リードタイム等の資材調達・生産プロセス１００のシミュレーションに用いる各種データである。前記シミュレーションデータは、データベース１に入力される。ここで前記ユニットとは、部品を一定レベルまで組み上げた仕掛品を指す。
【００４０】
データ変換部６を設け、前記データ変換部６をＥＲＰパッケージ２、生産計画作成部３及び販売計画作成部４と結びつけることにより、最新の情報を用いてシミュレーションデータを作成することができる。例えば、設計変更が生じてＥＲＰパッケージ２のデータが修正された場合等においても、常にＥＲＰパッケージ２の最新のデータに基づきデータ変換部６でシミュレーションデータを作成することができる。また、予めシミュレーションデータを作成することにより、後述のシミュレーション実行時に、シミュレーションデータを作成する負荷を軽減することができ、迅速なシミュレーションを行うことができる。
【００４１】
資材調達・生産プロセス１００をモデル化したプロセスモデルは、データベース１に格納された資材調達・生産プロセス１００の構成等の情報を基に、モデル作成部７でコンピューター上に、前記シミュレーションデータに基づき設定される。
【００４２】
前記プロセスモデルは、実際の資材調達・生産プロセス１００を模擬的にコンピューター上に仮想プロセスとして再現したものである。実際の資材調達・生産プロセス１００の物の流れ、各作業等をコンピューター上に模擬的に再現することができる。
【００４３】
シミュレーション条件設定部８で、シミュレーション期間、例えば販売変動により生産変動発生後のどの期間までシミュレーションを行うか等、また初期在庫の設定、単位期間の生産量の設定等のパラメータの設定、等のシミュレーション条件の設定を行う。
【００４４】
シミュレーション部９で、前記シミュレーションデータ及び前記シミュレーション条件に基づき、シミュレーターで前記設定されたプロセスモデルを用い、シミュレーションが行われる。
【００４５】
前記シミュレーションにより、生産計画変動時に、資材調達・生産プロセス１００全体において、生産計画変動に対応できる、即ち資材、仕掛品の欠品による生産遅延及び製品在庫の不足による出荷遅延を防止できる、資材、仕掛品及び製品の、在庫金額が最小となる安全在庫数を算出する。即ち、資材調達・生産プロセス１００を構成する複数の部門（業務領域）全体で、生産計画変動に対応できる、在庫金額が最小となる、在庫形態とその在庫数を算出する。また、前記安全在庫数と、その在庫金額である安全在庫金額は、安全在庫設定値として設定される。前記安全在庫設定値に基づき、各部門の安全在庫が設定される。
【００４６】
ここで、前記安全在庫数を在庫金額を考慮することなく算出した場合は、安全在庫数の在庫金額が最小とならない場合が生ずる。これは、資材として在庫を持つか、仕掛品として在庫を持つか、製品として在庫を持つか、で金額が異なる場合が生ずるからである。従って、前記安全在庫数に在庫形態を組み入れ金額に換算して、最小金額になるように算出する。
【００４７】
上記により、資材調達・生産プロセス１００で生産計画変動が生じた場合に対応できる安全在庫の最適化を、各部門個別ではなく、資材調達・生産プロセス１００全体として行うことができ、各部門での資材、仕掛品及び製品の欠品や過剰在庫を効果的に抑制し、在庫金額を最小とすることができる。
【００４８】
前記シミュレーションデータは、前述のように常にＥＲＰパッケージ２、生産計画作成部３及び販売計画作成部４の最新のデータに基づきデータ変換部６で作成される。このため、実際の系に近い、且つ精度の高いシミュレーションが可能になる。
【００４９】
前記シミュレーションに際し、データベース１より前記資材調達・生産プロセス１００を構成する拠点の情報・通信環境の状態に関する情報・通信環境情報と、物流の状態に関する物流情報と、を取り出し加味して、シミュレーションを行うことが好ましい。これにより、更に実際の系に近い、且つ精度の高いシミュレーションが可能になる。
【００５０】
結果評価部１０で、前記シミュレーションの結果（安全在庫数、安全在庫金額）を評価検討し、更に条件を変えてシミュレーションする必要のある場合は、再度シミュレーション条件設定部８で条件を設定してシミュレーションを行うことができる。これにより、評価の範囲を広げることが可能になる。
【００５１】
前記シミュレーション結果の情報は、安全在庫設定値としてフィードバックされ、データベース１に格納され、更にデータ変換部６及び中継プログラム５を介してＥＲＰパッケージ２に転送し反映される。なお、データ変換部６を介さず、データベース１から直接中継プログラム５を介してＥＰパッケージ２に転送してもよい。
【００５２】
ＥＲＰパッケージ２に転送された前記シミュレーション結果は資材調達・生産プロセス１００に取り込まれ、実際の資材の資材所要量計画作成、発注確定、フォーキャストに反映される。
【００５３】
図３は、図１に示す資材調達・生産プロセス１００の効率化支援方法を用いて資材調達・生産プロセス１００の効率化を図るフローチャートの一例を示す。データベース１にはＥＲＰパッケージ２から必要なデータ、情報が取り込まれているものとする。
【００５４】
ステップＳ１０１で、販売計画作成部４で変動販売計画が作成される。
【００５５】
ステップＳ１０２で、生産計画作成部３でステップＳ１０１で作成された変動販売計画に基づき、変動生産計画が作成される。前記変動生産計画は、前述の各制約条件及び累計値情報を組み入れて作成される。
【００５６】
ステップＳ１０３で、データ変換部６で前記変動販売計画及び前記変動生産計画と、ＥＲＰパッケージ２の製品情報及び生産情報のデータを基に、シミュレーションデータが作成される。
【００５７】
ステップＳ１０４で、モデル作成部７でデータベース１に格納された資材調達・生産プロセス１００の構成等の情報を基にコンピューター上にプロセスモデルが作成される。前記プロセスモデルは、ステップＳ１０３で作成されたシミュレーションデータに基づき、発注部品、在庫部品、ユニット在庫及び製品在庫を含む組み合わせパターンで、複数作成される。
【００５８】
ステップＳ１０５で、シミュレーション条件設定部８でシミュレーションの条件が担当者により設定される。前記シミュレーションの条件の設定は、シミュレーション期間、初期在庫の設定、単位期間の生産量の設定等パラメータの設定、等である。
【００５９】
ステップＳ１０６で、シミュレーション部９で前記プロセスモデルを用いたシミュレーションを行い、シミュレーション結果として、変動生産計画に対応できる、資材、仕掛品及び製品の在庫金額が最小となる安全在庫数を算出する。
【００６０】
ステップＳ１０７で、結果評価部１０で前記シミュレーションの結果（安全在庫設定値）を評価検討する。更に条件を変えてシミュレーションする必要のある場合は（ステップＳ１０７；ＮＯ）、ステップＳ１０５で再度条件を設定してシミュレーションを行う。再シミュレーション不要の場合は（ステップＳ１０７；ＹＥＳ）、ステップＳ１０８でシミュレーションの結果をデータベース１に格納する。
【００６１】
ステップ１０９で、前記シミュレーションの結果をデータベース１からＥＲＰパッケージ２に転送し、ＥＲＰパッケージ２のデータ、情報に反映させる。
【００６２】
上記により、販売計画変動が生じた場合に、資材調達・生産プロセスの各業務領域（各部門）の個別最適化ではなく資材調達・生産プロセス全体の最適化を行うことができ、資材及び製品の欠品や過剰在庫を効果的に抑制し、在庫金額を最適にすることができる。
【００６３】
また、サプライヤーは、ＥＲＰパッケージ２より、前記シミュレーションの結果の情報を得ることが可能となり、将来の生産計画を立てることができ、急な販売計画変動による生産変動が生じても過剰在庫や欠品の発生を抑制することが可能となる。
【図面の簡単な説明】
【００６４】
【図１】資材調達・生産プロセスの構成の一例を示す図である。
【図２】本発明に係る資材調達・生産プロセスの効率的管理支援方法の一例を示すブロック図である。
【図３】本発明に係る資材調達・生産プロセスの効率的管理支援方法の一例を示すフローチャートの図である。
【図４】フォーキャスト情報及び資材発注確定情報の推移を示す図である。
【符号の説明】
【００６５】
１  データベース
２  ＥＲＰパッケージ
３  生産計画作成部
４  販売計画作成部
５  中継プログラム
６  データ変換部
７  モデル作成部
８  シミュレーション条件設定部
９  シミュレーション部
１０  結果評価部
１００  資材調達・生産プロセス
１１０  サプライヤー
１２０  資材調達部門
１３０  生産部門
１４０  製品管理部門
１５０  生産管理部門
２００  販売部門
【図１】
2008217653.tif 000003
【図２】
2008217653.tif 000004
【図３】
2008217653.tif 000005
【図４】
2008217653.tif 000006